(57)【特許請求の範囲】
【請求項１】
厚紙を折曲してディスクを収納する袋部が１枚の厚紙となるヒンジ部を介して見開形に連結され、見開きの外端部に袋部の収納口が開口されてなるディスクジャケットにおいて、見開きの内端部には両袋部の少なくも一部の連通を閉塞または阻害して一方の袋部に収納されたディスクが他方の袋部へ移動するのを阻止する薄い合成樹脂シートまたは薄い紙からなる移動阻止シートが設けられていることを特徴とするディスクジャケット。
【請求項２】
請求項１のディスクジャケットにおいて、移動阻止シートは見開きの内端部に設けられたヒンジ部と両袋部とに掛けて設けられることを特徴とするディスクジャケット。
【請求項３】
請求項１のディスクジャケットにおいて、移動阻止シートは見開きの内端部であって袋部の端口の内側に設けられていることを特徴とするディスクジャケット。
【請求項４】
請求項１のディスクジャケットにおいて、移動阻止シートは円形で貼着されることを特徴とするディスクジャケット。
【請求項５】
請求項１のディスクジャケットにおいて、移動阻止シートは帯状で貼着されることを特徴とするディスクジャケット。
【請求項６】
厚紙を折曲してディスクを収納する袋部と厚紙からなるカバー部とが１枚の厚紙となるヒンジ部を介して見開形に連結され、見開きの外端部に袋部の収納口が開口されてなるディスクジャケットにおいて、見開きの内端部には袋部の端口の少なくも一部を閉塞または阻害して袋部に収納されたディスクが内端部の端口からカバー部の方向へ移動するのを阻止する薄い合成樹脂シートまたは薄い紙からなる移動阻止シートが設けられていることを特徴とするディスクジャケット。
【発明の詳細な説明】
【０００１】
【発明の属する技術分野】
本発明は、ディスクジャケットに関する。さらに詳しくは、レコード，ＣＤ，ＬＤ，ＭＤ等からなるディスクを１枚ないし２枚収納するセミダブルタイプないしはダブルタイプのディスクジャケットの収納保持性能に係る改良に関する。
【０００２】
【従来の技術】
従来、ディスクジャケットとしては、例えば、図１２，図１３に示すものが知られている。
【０００３】
この従来のディスクジャケットは、ディスクＤを２枚収納するダブルタイプからなるもので、ディスクＤを収納する厚紙等で形成された袋部１，２が見開形に連結され、見開きの外端部にディスクＤを出し入れする袋部１，２の収納口１１，２１が開口されてなる。この袋部１，２の外面１２，２２は、長方形に形成されて両袋部１，２に連続してなるもので、中央部の見開きの内端部に１枚の厚紙からなるヒンジ部３が折曲げ形成されている。また、袋部１，２の内面１３，２３は、ヒンジ部３を有効に機能させるためにほぼ正方形に形成されて両袋部１，２に分離されてなるもので、見開きの内端部が外端部の収納口１１，２１と同様に端口１４，２４が開口されている。
【０００４】
【発明が解決しようとする課題】
従来のディスクジャケットでは、図１３に示すような見開き状態になると、一方の袋部１に収納されているディスクＤが転動してヒンジ部３を乗り越えて他方の袋部２に侵入してしまうことがある。このため、他方の袋部２に収納されているディスクＤが押し出されて落下損傷したり、ヒンジ部３を乗り越えたディスクＤが変形したりするという問題点がある。これに対して、端口１４，２４を開口せずに一連の袋状に成形したとしても、連結部分が２枚の厚紙であるために折畳近傍に変形が生じ、かえってディスクＤに悪影響を及ぼすことが予測される。
また、図示していないが、ディスクを一枚収納するセミダブルタイプからなるものについても、袋部に収納されているディスクが転動してヒンジ部を乗り越えてしまい、落下損傷したり、変形したりするという問題点がある。
【０００５】
これに対して、実公平５−５１８２号に示すコンパクトディスクケースは、両袋部を１枚のヒンジ部で連結する場合に両袋部の内端部に折返片を折返してディスクの脱落を防止する構造を採用している。このコンパクトディスクケースにおいては、折返片が袋部の内面で段差となってしまい、ディスクへの悪影響となることが避けられないものであった。
【０００６】
本発明は、このような問題点を考慮してなされたもので、袋部に収納されているディスクに悪影響を与えずに他方の袋部への移動侵入や脱落を防止したディスクジャケットを提供することを課題とする。
【０００７】
【課題を解決するための手段】
前述の課題を解決するため、本発明に係るディスクジャケットは、次のような手段を採用する。
【０００８】
即ち、請求項１では、厚紙を折曲してディスクを収納する袋部が１枚の厚紙となるヒンジ部を介して見開形に連結され、見開きの外端部に袋部の収納口が開口されてなるディスクジャケットにおいて、見開きの内端部には両袋部の少なくも一部の連通を閉塞または阻害して一方の袋部に収納されたディスクが他方の袋部へ移動するのを阻止する薄い合成樹脂シートまたは薄い紙からなる移動阻止シートが設けられていることを特徴とする。これによると、移動阻止シートがディスクの移動間隙となる両袋部の少なくとも一部の連通を閉塞または阻害する。このため、ディスクは、収納された袋部に収納保持されて他方の袋部へ移動侵入することがなく、移動阻止シートが、段差を生じない状態で且つ強靱に内端部での移動を阻止する。
【０００９】
請求項２では、請求項１のディスクジャケットにおいて、移動阻止シートは見開きの内端部に設けられたヒンジ部と両袋部とに掛けて設けられることを特徴とする。これによると、見開き状態で内端部に移動阻止シートを設けるだけでディスクの移動が阻止される。
【００１０】
請求項３では、請求項１のディスクジャケットにおいて、移動阻止シートは見開きの内端部であって袋部の端口の内側に設けられていることを特徴とする。これによると、移動阻止シートを内端部に設けられた袋部の端口の内側に設けることでディスクの移動が阻止される。
【００１１】
請求項４では、請求項１のディスクジャケットにおいて、移動阻止シートは円形で貼着されることを特徴とする。これによると、内端部でディスクが常時当接する部位を選択して円形シートを貼着することができる。
【００１２】
請求項５では、請求項１のディスクジャケットにおいて、移動阻止シートは帯状で貼着されることを特徴とする。これによると、内端部の全域乃至所望区域にわたって帯状シートを貼着することができる。
【００１３】
請求項６では、厚紙を折曲してディスクを収納する袋部と厚紙からなるカバー部とが１枚の厚紙となるヒンジ部を介して見開形に連結され、見開きの外端部に袋部の収納口が開口されてなるディスクジャケットにおいて、見開きの内端部には袋部の端口の少なくも一部を閉塞または阻害して、袋部に収納されたディスクが内端部の端口からカバー部の方向へ移動するのを阻止する薄い合成樹脂シートまたは薄い紙からなる移動阻止シートが設けられていることを特徴とする。これによると、セミダブルタイプのディスクジャケットにおいても、移動阻止シートがディスクの移動間隙となる内端部の袋部の端口の少なくとも一部を閉塞または阻害する。このため、ディスクは、収納された袋部に収納保持されてカバー部の方向へ移動侵入することがなく、移動阻止シートが、段差を生じない状態で且つ強靱に内端部での移動を阻止する。
【００１４】
【発明の実施の形態】
以下、本発明に係るディスクジャケットの実施の形態を図１〜図１１に基いて説明する。図１〜図５は、本発明に係るディスクジャケットの第１実施例を示すものである。この実施例では、比較的大型で薄い構造からなるＬＤを収納するに好適なものを示してある。
【００１５】
この実施例は、前述の従来例と同様にダブルタイプからなるもので、袋部１，２を収納口１１，２１と外面１２，２２と内面１３，２３と端口１４，２４とで構成して、外面１２，２２の中央部に厚紙１枚のヒンジ部３を設けてある。
【００１６】
この実施例の袋部１，２の外面１２，２２は、長手辺（左右辺）に沿って折曲小片１５，２５が設けられ、内面１３，２３に突き合わされるようになっている。即ち、外面１２，２２と内面１３，２３との突き合わせ部分がディスクＤの周縁に当接するのを防止して、収納されたディスクＤが袋部１，２を突き破ることがないようにしている。なお、折曲小片１５，２５，内面１３，２３の突き合わせラインにそれぞれ屈曲部１６，１７，２６，２７を設けて、外面１２，２２と内面１３，２３との突き合わせがズレないようになっている。
【００１７】
この実施例では、薄い合成樹脂貼着用シートからなる円形の移動阻止シート４が使用されている。この移動阻止シート４は、ディスクに対して悪影響を与えないようにするため、厚紙の袋部内面に段差を生じさせない程度の薄さであればよい。具体的には、厚さ約０．２ｍｍ以下のシートとすることが望ましく、シートよりも薄いフィルムであってもディスクで破れない強靱な素材をシートに包含するものである。合成樹脂シートとしては、にかわ等と接着し易いポリエステル系の合成樹脂シートが好適であるが、ポリプロピレン系やその他の合成樹脂素材を選択できる。移動阻止シート４は、見開きの内端部のヒンジ部３と両袋部１，２に掛けて貼着され、両袋部１，２の端口１４，２４の一部の連通を閉塞している。なお、この移動阻止シート４は所望の部位に貼着することができるが、１枚貼着する場合には、図示のように中央部に貼着するのが好ましい。また、単純な貼着作業であるため、移動阻止シート４を備える作業が面倒になることはない。
【００１８】
また、この移動阻止シート４と同材質からなる薄いシート状の補強材５が両袋部１，２の外面１２，２２と折曲小片１５，２５との折曲線の中央部両側に貼着されている。なお、この補強材５は、外面１２，２２（折曲小片１５，２５）と内面１３，２３とを連結している。
【００１９】
さらに、この実施例では、両袋部１，２に長方形の外装紙６，７を貼着して、外面１２，２２（折曲小片１５，２５）と内面１３，２３との突き合わせ部分や移動阻止シート４，補強材５を隠蔽して外装飾している。外装紙６，７には、装飾模様等の外に、ディスクＤの関連情報等が記載される。また、この外装紙６，７は、両袋部１，２を被覆して袋構造を補強している。なお、前述の移動阻止シート４，補強材５の材質を外装紙６，７の貼着に使用される接着剤に対して接着性の良好なものを選択しておく必要がある。
【００２０】
この実施例によると、見開き状態で袋部１，２に収納されたディスクＤが転動しようとしても、移動阻止シート４で袋部１，２の端口１４，２４の、中央部の一部の連通が閉塞されているため、他方の袋部１，２への移動侵入が阻止されることになる。
【００２１】
また、収納されたディスクＤの周縁が当接する部分に移動阻止シート４，補強材５が位置しているため、ディスクＤの抜き差し，揺動等によって簡単に袋部１，２が破損することはない。また、移動阻止シート４は、ヒンジ部３の補強をも同時に行う。
【００２２】
また、袋部１，２の内面１３，２３側の外装紙６が設けられていない場合や、外装紙６が設けられていても両袋部１，２側に分離されて見開きの内端部のヒンジ部３と両袋部１，２の端口１４，２４付近が露出されている場合には、既存品について移動阻止シート４を貼着することにより簡単に改造実施することができる。
【００２３】
図６〜図８は、本発明に係るディスクジャケットの第２実施例を示すものである。
【００２４】
この実施例では、前述の第１実施例の移動阻止シート４を見開きの内端部の、両袋部１，２の端口１４，２４の内側１８，２８に貼着し、端口１４，２４の一部の連通を閉塞している。
【００２５】
この実施例によると、ディスクＤの移動阻止が確実になされる。また、移動阻止シート４は見開きの内端部のヒンジ部３には掛からないように貼着しており、図８に示すように、ディスクＤを袋部１，２に差し込んだ場合であってもディスクＤの周縁がヒンジ部３に当接することはない。従って、ディスクＤの移動を阻止すると同時に、ディスクＤの抜き差し，揺動等によってヒンジ部３が破損するのを防止することができる。さらに、両袋部１，２に夫々移動阻止シート４を貼着することから、両袋部１，２に収納されるディスクＤの大きさが互いに異なる場合であっても、夫々の大きさに合わせて貼着部位、貼着枚数を選択することができる。
【００２６】
図９は、本発明に係るディスクジャケットの第３実施例を示すものである。
【００２７】
この実施例では、前述の第１実施例の移動阻止シート４を帯状に形成して、袋部１，２の端口１４，２４の連通を完全に閉塞するようにしている。
【００２８】
この実施例によると、ディスクＤの移動阻止がより確実になる。なお、補強材５についても、帯状とすることができる。
【００２９】
図１０は、本発明に係るディスクジャケットの第４実施例を示すものである。
【００３０】
この実施例では、移動阻止シート４を合成樹脂材として、袋部１，２の端口１４，２４付近にモールドして、袋部１，２の端口１４，２４の連通を完全に閉塞するようにしている。なお、この移動阻止シート４として使用される合成樹脂材は、固化しても柔軟性を有するものが好ましい。
【００３１】
この実施例によると、ディスクＤの移動阻止が確実になる。また、移動阻止シート４は、袋部１，２に差し込まれたディスクＤに対してクッション材として機能し、ヒンジ部３の補強をも行う。
【００３２】
図１１は、本発明に係るディスクジャケットの第５実施例を示すものである。この実施例は、セミダブルタイプからなるディスクジャケットの実施例を示すものである。
【００３３】
この実施例は、前述の第１実施例の袋部２に替えて、外面２２と内面２３とを貼着して一枚としたカバー部８を用いている。
【００３４】
この実施例では、移動阻止シート４が、見開きの内端部のヒンジ部３と袋部１とカバー部８とに掛けて貼着され、袋部１の端口１４の一部を閉塞している。
【００３５】
この実施例によると、見開き状態で袋部１に収納されたディスクＤが転動しようとしても、移動阻止シート４で袋部１の端口１４の一部が閉塞されているため、ヒンジ部３を乗り越えてカバー部８の方向へ移動侵入するのが阻止されることになる。また、収納されたディスクＤの周縁が当接する部分に移動阻止シート４が位置しているため、ディスクＤの抜き差し，振動等によって簡単に袋部１が破損することはなく、併せて、移動阻止シート４は、ヒンジ部３の補強をも行う。さらに、既存品について移動阻止シート４を貼着することにより改造実施を容易に行うことができる。
【００３６】
以上、図示した実施例の外に、外装紙６，７の一部を移動阻止シート４に形成する実施例とすることも可能である。また、移動阻止シート４として薄い合成樹脂シートを例示したが、移動阻止シートとして薄い強靱な紙を用いることも可能である。さらに、セミダブルタイプの場合においても、カバー部８は厚紙一枚を用いたものとすることができ、又移動阻止シート４の形状、貼着位置等についても第２乃至第４実施例と同様に実施することができる。
【００３７】
【発明の効果】
以上のように本発明に係るディスクジャケットは、段差を生じさせずにディスク面の変形によるそり等の影響を回避することができる。また、所望の部位に移動阻止シートを貼着することにより、ディスクの移動を阻止して一方の袋部に収納されているディスクの他方の袋部への移動侵入が防止され、ディスクの落下損傷，変形が防止される効果が生ずる。
【図面の簡単な説明】
【図１】本発明に係るディスクジャケットの第１実施例を示す斜視図である。
【図２】図１のＸ−Ｘ線拡大断面図である。
【図３】第１実施例におけるディスクの収納状態を示す拡大断面図である。
【図４】図１の外装飾を示す斜視図である。
【図５】図１の外装飾を示す斜視図であり、図３に続く工程を示すものである。
【図６】本発明に係るディスクジャケットの第２実施例を示す斜視図である。
【図７】図５のＹ−Ｙ線拡大断面図である。
【図８】第２実施例におけるディスクの収納状態を示す拡大断面図である。
【図９】本発明に係るディスクジャケットの第３実施例を示す斜視図である。
【図１０】本発明に係るディスクジャケットの第４実施例を示す断面図である。
【図１１】本発明に係るディスクジャケットの第５実施例を示す断面図である。
【図１２】従来例を示す閉合わせ状態の斜視図である。
【図１３】図１２の見開き状態の斜視図である。
【符号の説明】
１，２        袋部
８            カバー部
１１，２１    収納口
１４，２４    端口
３            ヒンジ部
４            移動阻止シート
Ｄ            ディスク
【図１】
0003542667.tif 000002
【図２】
0003542667.tif 000003
【図３】
0003542667.tif 000004
【図４】
0003542667.tif 000005
【図５】
0003542667.tif 000006
【図６】
0003542667.tif 000007
【図７】
0003542667.tif 000008
【図８】
0003542667.tif 000009
【図９】
0003542667.tif 000010
【図１０】
0003542667.tif 000011
【図１１】
0003542667.tif 000012
【図１２】
0003542667.tif 000013
【図１３】
0003542667.tif 000014